(57)【要約】【課題】メイン側ソース及びサブ側ソースを入れ替えるためには煩雑な操作を必要とする。【解決手段】複数の音源の内、音源を選択するモード選択部４１と、選択した音源をＯＮ設定するモード設定部４２と、任意音源（メイン側ソース）からの音声信号をスピーカ１５に出力しながら、他の音源（サブ側ソース）からの音声信号をヘッドホン１６に出力するデュアルモードをＯＮ設定するデュアルモード設定部４４とを有する本体装置１１であって、デュアルモードＯＮ中に所定操作を検出すると、メイン側ソースとサブ側ソースとを相互に入れ替えるべく、モード選択部を制御すると共に、この入れ替えたメイン側ソース及びサブ側ソースをＯＮ設定すべく、モード設定部を制御する制御部４８を有している。【選択図】  図４
2004221796.tif 000002
【特許請求の範囲】
【請求項１】
複数の出力源の内、出力源を選択する出力源選択手段と、この出力源選択手段にて選択した出力源からの出力信号を出力すべく、この出力源をモード設定するモード設定手段と、前記複数の出力源の内、任意の出力源からの出力信号を第１出力手段に出力しながら、前記任意の出力源以外の出力源からの出力信号を第２出力手段に出力する動作モードを設定する動作モード設定手段とを有するオーディオ装置であって、
前記動作モード設定手段による前記動作モードが設定状態の場合に、所定操作を検出すると、前記第１出力手段の出力源と前記第２出力手段の出力源とを第１出力手段及び第２出力手段相互で入れ替えるべく、前記出力源選択手段を制御すると共に、この出力源選択手段にて選択した第１出力手段及び第２出力手段の出力源をモード設定すべく、前記モード設定手段を制御する制御手段を有することを特徴とするオーディオ装置。
【請求項２】
前記第１出力手段はスピーカ、前記第２出力手段はヘッドホンであることを特徴とする請求項１記載のオーディオ装置。
【発明の詳細な説明】
【０００１】
【発明の属する技術分野】
本発明は、例えばＣＤ、ＭＤやラジオ等の複数の音源と、各音源からの音声信号を音声出力するスピーカ及びヘッドホンとを有し、これらスピーカ及びヘッドホン双方で異なる音源からの音声信号を同時に音声出力することができる機能、例えばデュアルメディア機能を備えたオーディオ装置に関する。
【０００２】
【従来の技術】
近年、このようなデュアルメディア機能を備えたオーディオ装置としては、複数のスピーカを有し、複数の音源からの音声信号を同時に再生可能とし、各スピーカの指向性を可変としたものがある（例えば特許文献１）。
【０００３】
では、このような一般的なデュアルメディア機能を備えた車載用オーディオシステムの一例を、図面を用いて説明する。図１１は一般的なデュアルメディア機能を備えた車載用オーディオシステムの全体構成を示すシステム構成図である。
【０００４】
図１１に示す車載用オーディオシステム２００は、車室内のフロント側に配置され、例えばＣＤやラジオ等の複数の音源機能である内部ソースを備えた本体装置２０１と、この本体装置２０１とバス接続し、例えばＣＤチェンジャやＭＤチェンジャ等の複数の外部機器音源である外部ソース２０２と、フロント側で本体装置２０１を操作するフロント側操作部２０３と、車室内のリア側で本体装置２０１を遠隔操作するリア側操作部２０４と、本体装置２０１と接続し、内部ソース又は外部ソース２０２からの音声信号を音声出力するスピーカ２０５及びヘッドホン２０６とを有している。
【０００５】
スピーカ２０５は、フロント側に配置された２台のフロント側スピーカ２０５Ａと、リア側に配置された２台のリア側スピーカ２０５Ｂとで構成している。また、ヘッドホン２０６は、リア側に配置されるものとする。
【０００６】
尚、フロント側操作部２０３は、フロント側に配置された本体装置２０１の前面パネルに相当し、リア側操作部２０４は、リア側に配置されたリモコン操作部に相当するものである。
【０００７】
本体装置２０１では、デュアルメディア機能を有し、フロント側操作部２０３からの所定操作に応じてデュアルモードをＯＮ／ＯＦＦするものである。
【０００８】
デュアルモードＯＦＦ中の本体装置２０１では、複数の音源から同一の音源をスピーカ２０５及びヘッドホン２０６に選択し、同音源からの音声信号をスピーカ２０５及びヘッドホン２０６に音声出力するものである。
【０００９】
また、デュアルモードＯＮ中の本体装置２０１では、複数の音源の内、一の音源をスピーカ２０５に選択し、異なる音源をヘッドホン２０６に選択し、一の音源からの音声信号をスピーカ２０５で音声出力しながら、他の音源からの音声信号をヘッドホン２０６で音声出力するものである。
【００１０】
本体装置２０１では、例えばフロント側の搭乗者がラジオ、リア側の搭乗者がＣＤといったように異なる音源の提供を求めた場合、フロント側操作部２０３を所定操作することでデュアルモードをＯＮに設定し、フロント側搭乗者が所望するラジオからの音声信号をスピーカ２０５から音声出力し、リア側搭乗者が所望するＣＤからの音声信号をヘッドホン２０６から音声出力することができる。
【００１１】
つまり、フロント側搭乗者とリア側搭乗者とは、スピーカ２０５及びヘッドホン２０６を通じて、夫々異なる音源からの音声信号の提供を受けることができる。
【００１２】
尚、本体装置２０１では、デュアルモードＯＮ中においてスピーカ２０５側で音声出力する音声信号の音源をメイン側ソース、ヘッドホン２０６側で音声出力する音声信号の音源をサブ側ソースとしている。
【００１３】
また、本体装置２０１では、フロント側操作部２０３からの所定操作に応じてメイン側操作モード又はサブ側操作モードに切替可能とし、メイン側操作モードに設定することで、フロント側操作部２０３からメイン側ソースを操作することができ、サブ側操作モードに設定することで、サブ側ソースを操作することができるものである。
【００１４】
また、フロント側操作部２０３は、メイン側操作モードが設定中であることを通知するメイン側操作モード用ＬＥＤと、サブ側操作モードが設定中であることを通知するサブ側操作モード用ＬＥＤとを有し、これらＬＥＤの点灯表示に基づいて現在設定中の操作モードを認識することができる。
【００１５】
このようなデュアルメディア機能を備えた車載用オーディオシステム２００によれば、フロント側操作部２０３の所定操作に応じてデュアルモードをＯＮ／ＯＦＦし、デュアルモードＯＮ中においては、スピーカ２０５及びヘッドホン２０６を通じて異なる音源を提供することができるようにしたので、フロント側及びリア側の搭乗者は、スピーカ２０５及びヘッドホン２０６を通じて、夫々異なる音源から音声信号の提供を受けることができる。
【００１６】
【特許文献１】
特開平１１−７５２８４号（図１及び要約書参照）
【００１７】
【発明が解決しようとする課題】
しかしながら、上記従来の車載用オーディオシステム２００によれば、デュアルモードＯＮ中に、例えばメイン側ソースをラジオ、サブ側ソースをＣＤチェンジャとし、これらメイン側及びサブ側間でソースを入れ替えたい場合、つまり、メイン側ソースをＣＤチェンジャ、サブ側ソースをラジオにする場合、まず、メイン側操作モードに設定してメイン側ソースをラジオに設定し、さらにサブ側操作モードに設定してサブ側ソースをＣＤチェンジャに設定するといった複雑な操作を行わなければならない。
【００１８】
本発明は上記点に鑑みてなされたものであり、その目的とするところは、簡単な操作でメイン側ソース（第１出力手段の出力源）及びサブ側ソース（第２出力手段の出力源）を入れ替えることができるオーディオ装置を提供することにある。
【００１９】
【課題を解決するための手段】
上記目的を達成するために本発明のオーディオ装置は、複数の出力源の内、出力源を選択する出力源選択手段と、この出力源選択手段にて選択した出力源からの出力信号を出力すべく、この出力源をモード設定するモード設定手段と、前記複数の出力源の内、任意の出力源からの出力信号を第１出力手段に出力しながら、前記任意の出力源以外の出力源からの出力信号を第２出力手段に出力する動作モードを設定する動作モード設定手段とを有するオーディオ装置であって、前記動作モード設定手段による前記動作モードが設定状態の場合に、所定操作を検出すると、前記第１出力手段の出力源と前記第２出力手段の出力源とを第１出力手段及び第２出力手段相互で入れ替えるべく、前記出力源選択手段を制御すると共に、この出力源選択手段にて選択した第１出力手段及び第２出力手段の出力源をモード設定すべく、前記モード設定手段を制御する制御手段を有するようにした。
【００２０】
従って、本発明のオーディオ装置によれば、複数の出力源の内、任意の出力源からの出力信号を第１出力手段に出力しながら、前記任意の出力源以外の出力源からの出力信号を第２出力手段に出力する動作モードが設定状態の場合に、所定操作を検出すると、前記第１出力手段の出力源と前記第２出力手段の出力源とを第１出力手段及び第２出力手段相互で入れ替えるべく、前記出力源選択手段を制御すると共に、この出力源選択手段にて選択した第１出力手段及び第２出力手段の出力源をモード設定するようにしたので、複数の出力源の内、任意の出力源からの出力信号を第１出力手段（例えばスピーカ）に出力しながら、前記任意の出力源以外の出力源からの出力信号を第２出力手段（例えばヘッドホン）に出力する動作モード、例えばデュアルモードＯＮ中に、複雑な操作を経ることなく、簡単な操作で第１出力手段（例えばスピーカ）の出力源及び第２出力手段（例えばヘッドホン）の出力源を入れ替えることができる。
【００２１】
【発明の実施の形態】
以下、図面に基づいて本発明のオーディオ装置に関わる実施の形態を示す車載用オーディオシステムについて説明する。図１は本実施の形態を示す車載用オーディオシステムの全体構成を示すシステム構成図である。
【００２２】
図１に示す車載用オーディオシステム１は、車室内のフロント側に配置され、例えばＣＤやラジオ等の複数の音源機能である内部ソース１１Ａを備えた本体装置１１と、この本体装置１１とバス接続し、例えばＣＤチェンジャやＭＤチェンジャ等の複数の外部機器音源である外部ソース１２と、フロント側で本体装置１１を操作するフロント側操作部１３と、車室内のリア側で本体装置１１を遠隔操作するリア側操作部１４と、本体装置１１と接続し、内部ソース１１Ａ又は外部ソース１２からの音声信号を音声出力するスピーカ１５及びヘッドホン１６とを有している。
【００２３】
スピーカ１５は、フロント側に配置された２台のフロント側スピーカ１５Ａと、リア側に配置された２台のリア側スピーカ１５Ｂとで構成している。また、ヘッドホン１６は、リア側に配置されるものとする。
【００２４】
フロント側操作部１３は、フロント側に配置された本体装置１１の前面パネルに相当し、リア側操作部１４は、リア側に配置されたリモコン操作部に相当するものである。図２はフロント側操作部１３の正面図である。
【００２５】
図２に示すフロント側操作部１３は、様々な情報を表示する、バックライト機能を備えた表示部２１と、様々な情報を点灯表示するＬＥＤインジケータ２２と、様々な指令を入力する、照明機能を備えたキー操作部２３とを有している。尚、表示部２１のバックライト機能及びキー操作部２３の照明機能は色彩を変更可能とするものである。
【００２６】
キー操作部２３は、後述するデュアルモードをＯＮ／ＯＦＦするデュアルモードキー２３Ａと、後述するメイン側操作モード又はサブ側操作モードを設定する操作モード設定キー２３Ｂと、内部ソース１１Ａ又は外部ソース１２内の各音源を選択するソースモード選択キー２３Ｃ等とを有している。
【００２７】
ＬＥＤインジケータ２２は、メイン側操作モードが設定中であることを通知するメイン側操作モード用ＬＥＤ２２Ａと、サブ側操作モードが設定中であることを通知するサブ側操作モード用ＬＥＤ２２Ｂ等とを有している。
【００２８】
本体装置１１では、デュアルメディア機能を有し、前述したようにフロント側操作部１３のデュアルモードキー２３Ａのキー操作を検出すると、デュアルモードをＯＮ／ＯＦＦするものである。
【００２９】
デュアルモードＯＦＦ中の本体装置１１では、複数の音源から同一の音源をスピーカ１５及びヘッドホン１６に選択し、同音源からの音声信号をスピーカ１５及びヘッドホン１６に音声出力するものである。
【００３０】
また、デュアルモードＯＮ中の本体装置１１では、複数の音源の内、一の音源をスピーカ１５に選択し、異なる音源をヘッドホン１６に選択し、一の音源からの音声信号をスピーカ１５で音声出力しながら、他の音源からの音声信号をヘッドホン１６で音声出力するものである。尚、デュアルモードＯＮ中においては、スピーカ１５側で音声出力する音源をメイン側ソース、ヘッドホン１６側で音声出力する音源をサブ側ソースとする。
【００３１】
また、本体装置１１では、デュアルモードＯＮ中に操作モード設定キー２３Ｂのキー操作を検出すると、メイン側操作モード又はサブ側操作モードに切替設定し、このメイン側操作モードが設定されると、フロント側操作部１３でメイン側ソースを操作することができ、サブ側操作モードが設定されると、フロント側操作部１３でサブ側ソースを操作することができるものである。
【００３２】
本体装置１１では、例えばフロント側の搭乗者がＣＤ再生部３１Ｂ、リア側の搭乗者がＣＤチェンジャ部１２Ｂといったように異なる音源の提供を求めた場合、フロント側操作部１３のデュアルモードキー２３ＡをＯＮ操作することでデュアルモードをＯＮに設定し、フロント側搭乗者が所望するＣＤ再生部３１Ｂからの音声信号をスピーカ１５から音声出力し、リア側搭乗者が所望するＣＤチェンジャ部１２Ｂからの音声信号をヘッドホン１６から音声出力することができる。つまり、フロント側搭乗者とリア側搭乗者とは、スピーカ１５及びヘッドホン１６を通じて、夫々異なる音源からの音声信号の提供を受けることができる。
【００３３】
図３は本体装置１１内部の概略構成を示すブロック図である。
【００３４】
図３に示す本体装置１１は、フロント側操作部１３の表示部２１、ＬＥＤインジケータ２２及びキー操作部２３の他に、例えばラジオ部３１Ａ、ＣＤ再生部３１Ｂ及びＭＤ再生部３１Ｃ等の複数の音源を備えた内部ソース３１と、複数の音源を備えた外部ソース１２とバス接続するバス端子３２と、これら内部ソース３１及び外部ソース１２内の複数の音源から任意の音源を選択するメイン側セレクタ３３と、このメイン側セレクタ３３にて選択した任意の音源からの音声信号の音量を調整するメイン側ボリューム部３４と、このメイン側ボリューム部３４にて音量調整した音声信号を増幅することでスピーカ１５に音声出力するアンプ部３５と、内部ソース３１及び外部ソース１２内の複数の音源から任意の音源を選択するサブ側セレクタ３６と、このサブ側セレクタ３６にて選択した音源からの音声信号の音量を調整することでヘッドホン部１６に音声出力するサブ側ボリューム部３７と、様々な情報を記憶するメモリ部３８と、この本体装置１１全体を制御するマイコン３９とを有している。
【００３５】
外部ソース１２は、単一のバスラインを通じて本体装置１１のバス端子３２と接続し、例えばＣＤチェンジャ部１２Ａ、ＭＤチェンジャ部１２Ｂ、ＤＶＤチェンジャ部１２Ｃ及びテレビ部１２Ｄ等の複数の音源を備えている。つまり、単一のバスラインを外部ソース１２内の複数の音源で共有化しているということになる。
【００３６】
また、メイン側セレクタ３３は、内部ソース３１内のラジオ部３１Ａ、ＣＤ再生部３１Ｂ及びＭＤ再生部３１Ｃ夫々と個別に接続するメイン側第１入力端子３３Ａと、外部ソース１２内の音源と接続するバス端子３２と選択接続するメイン側第２入力端子３３Ｂと、メイン側ボリューム部３４に音声信号を出力するメイン側出力端子３３Ｃとを有している。
【００３７】
サブ側セレクタ３６は、内部ソース３１内のラジオ部３１Ａ、ＣＤ再生部３１Ｂ及びＭＤ再生部３１Ｃ夫々と個別に接続するサブ側第１入力端子３６Ａと、外部ソース１２内の音源と接続するバス端子３２と選択接続するサブ側第２入力端子３６Ｂと、サブ側ボリューム部３７に音声信号を出力するサブ側出力端子３６Ｃとを有している。
【００３８】
図４は本実施の形態に関わる本体装置１１の要部であるメモリ部３８及びマイコン３９内部の概略構成を示すブロック図である。
【００３９】
図４に示す本体装置１１のメモリ部３８は、内部ソース３１及び外部ソース１２内の各音源に関わるソースモードを記憶管理するモードメモリ３８Ａと、各ソースモードのソース種別を記憶管理するソース種別メモリ３８Ｂと、デュアルモードＯＮ中のメイン側ソース及びサブ側ソースに現在設定中のソースモードを記憶管理する現在設定メモリ３８Ｃと、現在設定前にメイン側ソース及びサブ側ソースに設定していたメイン側ソース及びサブ側ソースをラストモードとして記憶管理するラストモードメモリ３８Ｄと、デュアルモードＯＮ中にメイン側ソース及びサブ側ソースとして同時に使用されることを禁止する組み合わせソースモードを禁止モードとして記憶管理する禁止メモリ３８Ｅと、フロント側操作部１３の表示部２１、ＬＥＤインジケータ２２及びキー操作部２３の表示内容を制御する表示情報を記憶管理する表示情報メモリ３８Ｆとを有している。
【００４０】
ソース種別メモリ３８Ｂは、ソースモード毎のソース種別、例えば内部ソース３１又は外部ソース１２の音源であるか否かを示すソース種別を記憶管理している。
【００４１】
禁止メモリ３８Ｅは、デュアルモードＯＮ中にメイン側ソース及びサブ側ソースに夫々選択した音源によって互いに影響を及ぼすような音源の組み合わせ、例えばテレビとラジオの組み合わせ、ＣＤとラジオの組み合わせ等を禁止モードとして記憶管理している。
【００４２】
ラストモードメモリ３８Ｄは、メイン側ソースで設定していたソースモードをラストモードとしてソース種別毎に記憶管理すると共に、サブ側ソースで設定していたソースモードをラストモードとしてソース種別毎に記憶管理するものである。
【００４３】
表示情報メモリ３８Ｆは、フロント側操作部１３の表示部２１、ＬＥＤインジケータ２２及びキー操作部２３の表示内容を制御する表示情報、例えばメイン側操作モード時においてはメイン側操作モード用ＬＥＤ２２Ａが点灯し、表示部２１のバックライト機能及びキー操作部２２の照明機能が緑色表示し、サブ側操作モード時においてはサブ側操作モード用ＬＥＤ２２Ｂが点灯し、表示部２１のバックライト機能及びキー操作部２２の照明機能が赤色表示する表示情報が記憶管理されているものとする。
【００４４】
また、マイコン３９は、内部ソース３１及び外部ソース１２内の複数の音源の内、任意の音源を選択するように、メイン側セレクタ３３及びサブ側セレクタ３６を制御するモード選択部４１と、このモード選択部４１にて選択した音源からの音声信号を出力すべく、この選択した音源を駆動するようにソースモードを設定するモード設定部４２と、例えばデュアルモードキー２３ＡのＯＮ操作を検出すると、モード設定部４２にて現在設定中の音源のソース種別が外部ソース１３であるか否かを判定するソース種別判定部４３と、デュアルモード２３ＡのＯＮ操作を検出すると、デュアルモードをＯＮ設定するデュアルモード設定部４４と、デュアルモードＯＮ中にメイン側ソース及びサブ側ソース双方の音源の組み合わせが禁止モードであるか否かを判定する禁止判定部４５と、フロント側操作部１３のキー操作部２３のキー操作を検出するキー検出部４６と、フロント側操作部１３の表示部２１、ＬＥＤインジケータ２２及びキー操作部２３の表示内容を制御する表示制御部４７と、この本体装置１１全体を制御する制御部４８とを有している。
【００４５】
制御部４８は、ソース種別判定部４３にて現在設定中の音源のソース種別が外部ソース１３であると判定されると、内部ソース２０の任意の音源をモード設定するものであり、例えばメイン側ソースで外部ソース１２内の音源が設定された場合には、サブ側ソースで内部ソース３１内の音源のみが設定され、同様に、メイン側ソースで内部ソース３１内の音源が設定されると、サブ側ソースでは外部ソース１２内の音源が設定されるものである。つまり、メイン側ソース及びサブ側ソースでは、同一ソース種別内の異なる音源が同時選択されないようにしている。
【００４６】
また、制御部４８は、デュアルモードＯＮ中に操作モード設定キー２３Ｂのキー操作に応じて、例えばメイン側操作モードが設定されると、このメイン側操作モードに対応した表示情報を表示情報メモリ３８Ｆから読み出し、この表示情報に基づいてフロント側操作部１３の表示内容を制御するように表示制御部４７を制御するものである。
【００４７】
また、制御部４８は、デュアルモードＯＮ中に操作モード設定キー２３Ｂの長押し操作を検出すると、現在設定中のメイン側ソース及びサブ側ソースの音源の入替処理、例えば現在設定中のメイン側ソースがＣＤ再生部３１Ｂ、サブ側ソースがＭＤチェンジャ部１２Ｂの場合、この入替処理にてメイン側ソースをＭＤチェンジャ部１２Ｂ、サブ側ソースをＣＤ再生部３１Ｂとするものである。
【００４８】
また、制御部４８は、デュアルモードＯＮ中にソースモード選択キー２３Ｃによる音源選択操作を検出すると、このソースモード選択キー２３Ｃにて選択した音源と現在設定中の音源との組み合わせが禁止メモリ３８Ｅ内にあるか否かを禁止判定部４５にて判定し、この禁止判定部４５にて禁止メモリ３８Ｅ内にあると判定されると、このソースモード選択キー２３Ｃにて選択した音源のモード設定を禁止し、禁止メモリ３８Ｅにない組み合わせの音源を選択するものである。
【００４９】
尚、請求項記載のオーディオ装置は本体装置１１、出力源は音源１２Ａ，１２Ｂ，１２Ｃ，１２Ｄ，３１Ａ，３１Ｂ、第１出力源群は外部ソース１２、第２出力源群は内部ソース３１、出力源選択手段はモード選択部４１、メイン側セレクタ３３及びサブ側セレクタ３６、モード設定手段はモード設定部４２及び制御部４８、群種別記憶手段はソース種別メモリ３８Ｂ、出力源群判定手段はソース種別判定部４３、表示手段は表示部２１、ＬＥＤインジケータ２２及びキー操作部２３、表示情報記憶手段は表示情報メモリ３８Ｆ、表示制御手段は表示制御部４７、動作モード設定手段はデュアルモード設定部４４、禁止記憶手段は禁止メモリ３８Ｅ、禁止判定手段は禁止判定部４５、制御手段は制御部４８、第１出力手段はスピーカ１５、第２出力手段はヘッドホン１６、第１動作モードはデュアルモードＯＦＦ、第２動作モードはデュアルモードＯＮに相当するものである。
【００５０】
次に本実施の形態を示す車載用オーディオシステム１の動作について説明する。図５は本体装置１１のサブ側モード設定処理に関わるマイコン３９の処理動作を示すフローチャートである。
【００５１】
図５に示すサブ側モード設定処理とは、デュアルモードキー２３Ａのキー操作に応じて、デュアルモードがＯＮ又はＯＦＦに設定された場合に関わるサブ側ソースモードの自動設定に関わる処理動作である。
【００５２】
図５においてマイコン３９の制御部４８は、デュアルモードがＯＮ設定されたか否かを判定する（ステップＳ１１）。マイコン３９のソース種別判定部４３は、デュアルモードがＯＮ設定されたと判定されると、ソース種別メモリ３８Ｂのメモリ内容に基づいて、現在設定済みのソースモードのソース種別が外部ソース１２であるか否かを判定する（ステップＳ１２）。
【００５３】
制御部４８は、現在設定済みのソースモードのソース種別が外部ソース１２であると判定されると、現在設定済み、すなわちデュアルモードＯＮ中のメイン側ソースが外部ソース１２内のソースモードが選択されているものと判断し、サブ側セレクタ３６にて内部ソース３１内の任意のソースモードを選択すべく、モード選択部４１を制御する（ステップＳ１３）。尚、ステップＳ１３にて任意のソースモードとは、例えばラストモードメモリ３８Ｄに記憶した内部ソース３１に関わるサブ側ソースモードとするようにしても良い。
【００５４】
制御部４８は、ステップＳ１３にて内部ソース３１内の任意のソースモードを選択すると、この選択した任意のソースモードをＯＮ設定すべく、モード設定部４２を制御することで（ステップＳ１４）、この処理動作を終了する。
【００５５】
制御部４８は、ステップＳ１２にて現在設定済みのソースモードのソース種別が外部ソース１２でないと判定されると、デュアルモードＯＮ中のメイン側ソースが内部ソース３１内のソースモードが選択されているものと判断し、サブ側セレクタ３６にて外部ソース１２内の任意のソースモードを選択すべく、モード選択部４１を制御し（ステップＳ１５）、この選択した任意のソースモードをＯＮ設定すべく、ステップＳ１４に移行する。尚、ステップＳ１５にて任意のソースモードとは、例えばラストモードメモリ３８Ｄに記憶した外部ソース１２に関わるサブ側ソースモードとするようにしても良い。
【００５６】
ステップＳ１１にてデュアルモードがＯＮに設定されていないと判定されると、デュアルモードがＯＦＦであると判断し、メイン側セレクタ３３にて選択している、つまり設定済みのソースモードと同一のソースモードをサブ側セレクタ３６に選択させるべく、モード選択部４１を制御することで（ステップＳ１６）、この処理動作を終了する。
【００５７】
図５に示すサブ側モード設定処理によれば、例えば単一のメイン側第２入力端子３３Ｂ（サブ側第２入力端子３６Ｂ）を共有化した複数の音源で構成する外部ソース１２及び、個々のメイン側第１入力端子３３Ａ（サブ側第１入力端子３３６Ａ）を備えた複数の音源で構成する内部ソース３１といった音源毎のソース種別を記憶管理するソース種別メモリ３８Ｂのメモリ内容に基づいて、モード設定部４２にて現在設定中のソースモードのソース種別が外部ソース１２であるか否かを判定し、このソース種別が外部ソース１２であると判定されると、モード選択部４１による外部ソース１２内の他の音源に関わるソースモードの選択を禁止するようにしたので、外部ソース１２内の異なる音源同士の音声信号が混合出力されてしまうといった事態を確実に防止することができる。
【００５８】
さらに、サブ側モード設定処理によれば、メイン側ソース及びサブ側ソースで同時に同一ソース種別内の異なるソースモードが選択されることがないため、ソース種別のみを意識してソースの切り分け仕様を明確にすることで、その操作性を向上させることができる。
【００５９】
図６は本体装置１１のソースモード選択処理に関わるマイコン３９の処理動作を示すフローチャートである。
【００６０】
図６に示すソースモード選択処理とは、デュアルモードＯＮ中におけるメイン側ソース又はサブ側ソースに内部ソース３１又は外部ソース１２内の任意のソースを選択設定する処理である。
【００６１】
図６においてマイコン３９の制御部４８は、メイン側操作モードが設定中であるか否かを判定する（ステップＳ２１）。
【００６２】
制御部４８のソース種別判定部４３は、メイン側操作モードが設定中であると判定されると、現在設定済みのメイン側ソースのソース種別が外部ソース１２であるか否かを判定する（ステップＳ２２）。
【００６３】
制御部４８は、メイン側ソースのソース種別が外部ソース１２であると判定されると、メイン側セレクタ３３のメイン側第２入力端子３３Ｂを選択して外部ソース１２内の任意のソースモードを選択可能な状態とする（ステップＳ２３）。尚、ステップＳ２３は、外部ソース１２内の任意のソースモードをソースモード選択キー２３Ｃのキー操作に応じてＣＤチェンジャ部１２Ａ→ＭＤチェンジャ部１２Ｂ→ＤＶＤチェンジャ部１２Ｃ→テレビ部１２Ｄ→ＣＤチェンジャ部１２Ａ→…といった順序で選択可能な状態としている。
【００６４】
制御部４８は、モード選択部４１にて任意のソースモードが選択されると（ステップＳ２４）、モード設定部４２にて同選択したソースモードをＯＮ設定することで（ステップＳ２５）、この処理動作を終了する。
【００６５】
制御部４８は、ステップＳ２２にてメイン側ソースのソース種別が内部ソース３１であると判定されると、メイン側セレクタ３３のメイン側第１入力端子３３Ａを選択して内部ソース３１内の任意のソースモードをソースモード選択キー２３Ｃのキー操作に応じてラジオ部３１Ａ→ＣＤ再生部３１Ｂ→ＭＤ再生部３１Ｃ→ラジオ部３１Ａ→…といった順序で選択可能な状態とし（ステップＳ２６）、任意のソースモードを選択すべく、ステップＳ２４に移行する。
【００６６】
制御部４８は、ステップＳ２１にてメイン側操作モードが設定中でないと判定されると、サブ側操作モードが設定中であるか否かを判定する（ステップＳ２７）。
【００６７】
制御部４８のソース種別判定部４３は、サブ側操作モードが設定中であると判定されると、現在設定済みのサブ側ソースのソース種別が外部ソース１２であるか否かを判定する（ステップＳ２８）。
【００６８】
制御部４８は、サブ側ソースのソース種別が外部ソース１２であると判定されると、サブ側セレクタ３６のメイン側第２入力端子３６Ｂを選択して外部ソース１２内の任意のソースモードを選択可能な状態とし（ステップＳ２９）、任意のソースモードを選択すべく、ステップＳ２４に移行する。尚、ステップＳ２９は、外部ソース１２内の任意のソースモードをソースモード選択キー２３Ｃのキー操作に応じてＣＤチェンジャ部１２Ａ→ＭＤチェンジャ部１２Ｂ→ＤＶＤチェンジャ部１２Ｃ→テレビ部１２Ｄ→ＣＤチェンジャ部１２Ａ→…といった順序で選択可能な状態としている。
【００６９】
制御部４８は、ステップＳ２８にてメイン側ソースのソース種別が内部ソース３１であると判定されると、サブ側セレクタ３６のサブ側第１入力端子３６Ａを選択して内部ソース３１内の任意のソースモードをソースモード選択キー２３Ｃのキー操作に応じてラジオ部３１Ａ→ＣＤ再生部３１Ｂ→ラジオ部３１Ａ→…といった順序で選択可能な状態とし（ステップＳ３０）、任意のソースモードを選択すべく、ステップＳ２４に移行する。
【００７０】
図６に示すソースモード選択処理によれば、デュアルモードＯＮ中にメイン側ソースの任意のソースモードを切替選択する場合、現在設定中のメイン側のソース種別が外部ソース１２であると判定されると、外部ソース１２内の任意のソースを選択設定し、メイン側のソース種別が内部ソース３１であると判定されると、内部ソース３１内の任意のソースを選択設定するようにした。
【００７１】
また、同様にデュアルモードＯＮ中にサブ側ソースの任意ソースモードを切替選択する場合、現在設定中のサブ側のソース種別が外部ソース１２であると判定されると、外部ソース１２内の任意のソースを選択設定し、サブ側のソース種別が内部ソース３１であると判定されると、内部ソース３１内の任意のソースを選択設定するようにした。
【００７２】
図７は本体装置１１のＣＤローディング処理に関わるマイコン３９の処理動作を示すフローチャートである。
【００７３】
図７に示すＣＤローディング処理とは、デュアルモードＯＮ中に、内部ソース３１のＣＤ再生部３１ＢにＣＤをローディングすることでＣＤ再生部３１Ｂのソースモードを自動設定する処理である。
【００７４】
制御部４８は、ＣＤ再生部３１ＢにＣＤがローディングされたことを検出すると、内部ソース３１を現在使用しているのがメイン側であるか否かを判定する（ステップＳ４１）。
【００７５】
制御部４８は、内部ソース３１を現在使用しているのがメイン側であると判定されると、モード選択部４１にてメイン側セレクタ３３の第１入力端子３３Ａを通じてＣＤ再生部３１Ｂ側を選択することでメイン側ソースとしてＣＤソースモードを選択し（ステップＳ４２）、モード設定部４２にてＣＤソースモードをＯＮ設定することで（ステップＳ４３）、この処理動作を終了する。
【００７６】
また、制御部４８は、ステップＳ４１にて内部ソース３１を現在使用しているのがメイン側でないと判定されると、サブ側であると判定し、モード選択部４１にてサブ側セレクタ３６の第１入力端子３６Ａを通じてＣＤ再生部３１Ｂ側を選択することでサブ側ソースとしてＣＤソースモードを選択し（ステップＳ４４）、このＣＤソースモードをＯＮ設定すべく、ステップＳ４３に移行する。
【００７７】
図７に示すＣＤローディング処理によれば、デュアルモードＯＮ中にＣＤ再生部３１ＢへのＣＤローディングを検出すると、例えばＣＤ再生部３１Ｂのソース種別である内部ソース３１をメイン側が現在使用している場合、このメイン側ソースをＣＤソースモードにＯＮ設定すると共に、その内部ソース３１をサブ側が現在使用している場合、このサブ側ソースをＣＤソースモードにＯＮ設定するようにしたので、デュアルモードＯＮ中のＣＤローディング時に内部ソース３１を使用している側（メイン側又はサブ側）のソースモードをＣＤソースモードに自動設定することができる。
【００７８】
図８は本体装置１１の操作モード表示処理に関わるマイコン３９の処理動作を示すフローチャートである。
【００７９】
図８に示す操作モード表示処理とは、メイン側操作モード設定時とサブ側操作モード設定時とでフロント側操作部１３の表示内容を識別表示するようにした処理である。
【００８０】
図８においてマイコン３９の制御部４８は、現在設定中の操作モードはメイン側操作モードであるか否かを判定する（ステップＳ５１）。
【００８１】
制御部４８の表示制御部４７は、現在設定中の操作モードがメイン側操作モードであると判定されると、メイン側操作モードに対応した表示情報を表示情報メモリ３８Ｆから読み出し（ステップＳ５２）、このメイン側操作モードに対応した表示情報に基づいてフロント側操作部１３をメイン側操作モード用に表示制御することで（ステップＳ５３）、この処理動作を終了する。尚、メイン側操作モード用の表示制御とは、フロント側操作部１３の表示部２１のバックライトを緑色点灯に、メイン側操作モード用ＬＥＤ２２Ａを点灯、キー操作部２３の照明を緑色点灯するものである。
【００８２】
また、制御部４８は、ステップＳ５１にて現在設定中の操作モードがメイン側操作モードでないと判定されると、現在設定中の操作モードがサブ側操作モードであるか否かを判定する（ステップＳ５４）。
【００８３】
制御部４８は、現在設定中の操作モードがサブ側操作モードであると判定されると、このサブ側操作モードに対応した表示情報を表示情報メモリ３８Ｆから読み出し（ステップＳ５５）、このサブ側操作モードに対応した表示情報に基づいてフロント側操作部１３をサブ側操作モード用に表示制御することで（ステップＳ５６）、この処理動作を終了する。尚、サブ側操作モード用の表示制御とは、フロント側操作部１３の表示部２１のバックライトを赤色点灯に、サブ側操作モード用ＬＥＤ２２Ｂを点灯、キー操作部２３の照明を赤色点灯するものである。
【００８４】
図８に示す操作モード表示処理によれば、メイン側操作モードが設定されると、フロント側操作部１３の表示部２１のバックライトを緑色点灯、メイン側操作モード用ＬＥＤ２２Ａを点灯、キー操作部２３の照明を緑色点灯すると共に、サブ側操作モードが設定されると、フロント側操作部１３の表示部２１のバックライトを赤色点灯、メイン側操作モード用ＬＥＤ２２Ａを点灯、キー操作部２３の照明を赤色点灯するようにしたので、フロント側操作部１３の表示内容を目視することで簡単に現在設定中の操作モードを認識することができる。
【００８５】
図９は本体装置１１のソースモード入替処理に関わるマイコン３９の処理動作を示すフローチャートである。
【００８６】
図９に示すソースモード入替処理とは、デュアルモードＯＮ中に、ワンタッチ操作で、メイン側ソース及びサブ側ソース間で現在設定中のソースモードを入れ替える処理である。
【００８７】
図９においてマイコン３９は、デュアルモードＯＮ中に操作モード設定キー２３Ｂの長押し操作を検出すると、このソースモード入替処理を起動する。
【００８８】
マイコン３９の制御部４８は、メイン側ソースモード及びサブ側ソースモードを夫々ＯＦＦにする（ステップＳ６１）。
【００８９】
制御部４８は、これらメイン側ソースモード及びサブ側ソースモードを夫々ＯＦＦにすることで、現在設定メモリ３８Ｃに記憶管理している現在設定中のメイン側ソースモード及びサブ側ソースモードを読み出し（ステップＳ６２）、現在設定中のメイン側ソースモード及びサブ側ソースモードの入替処理を実行する（ステップＳ６３）。尚、この入替処理とは、メイン側ソース及びサブ側ソース間で現在設定中のソースモードを入れ替える処理であり、例えばメイン側ソースをＣＤ再生部３１ＢのＣＤソースモード、サブ側ソースをＤＶＤチェンジャ部１２ＣのＤＶＤチェンジャソースモードとした場合、入替処理を実行することで、メイン側ソースをＤＶＤチェンジャソースモード、サブ側ソースをＣＤソースモードに入替選択するものである。
【００９０】
制御部４８は、ステップＳ６３の入替処理後のメイン側ソースモード及びサブ側ソースモードを現在設定中のソースモードとして現在設定メモリ３８Ｃに記憶更新する（ステップＳ６４）。
【００９１】
さらに制御部４８は、モード設定部４１にてメイン側ソースモード及びサブ側ソースモードをＯＮ設定することで（ステップＳ６５）、この処理動作を終了する。
【００９２】
図９に示すソースモード入替処理によれば、デュアルモードＯＮ中に操作モード設定キー１３Ｂの長押し操作を検出すると、メイン側ソース及びサブ側ソース間で現在設定中のソースモードを入れ替えるようにしたので、複雑な操作を経ることなく、簡単なワンタッチ操作でメイン側ソース及びサブ側ソースを入れ替えることができる。
【００９３】
図１０は本体装置１１のモード選択処理に関わるマイコン３９の処理動作を示すフローチャートである。
【００９４】
図１０に示すモード選択処理とは、デュアルモードＯＮ中にメイン側ソース及びサブ側ソースに夫々選択した音源が互いに影響を及ぼすような、メイン側ソースモード及びサブ側ソースモードの組み合わせを確実に回避する処理である。
【００９５】
図１０においてマイコン３９の制御部４８は、デュアルモードＯＮ中にソースモード選択キー２３Ｃのキー操作に応じて、メイン側セレクタ３３にて任意のソースモードが選択されたか否かを判定する（ステップＳ７１）。
【００９６】
制御部４８は、メイン側セレクタ３３にて任意のソースモードが選択されたのであれば、サブ側ソースに設定済みのソースモードがあるか否かを判定する（ステップＳ７２）。
【００９７】
制御部４８の禁止判定部４５は、サブ側ソースに設定済みのソースモードがあると判定されると、これらメイン側ソースモード及びサブ側ソースモードの組み合わせが禁止メモリ３８Ｅ内にあるか否かを判定する（ステップＳ７３）。
【００９８】
制御部４８は、禁止メモリ３８Ｅ内にあると判定されると、ステップＳ７１のメイン側セレクタ３３にて選択された任意のソースモードの選択を禁止し、禁止メモリ３８Ｅ内の禁止組み合わせにない任意のソースモードを選択することで（ステップＳ７４）、この処理動作を終了する。尚、ステップＳ７４にて禁止メモリ３８Ｅ内の禁止組み合わせにない任意ソースモードを選択するようにしたが、例えばサブ側でラジオ部３１Ａのソースモードを設定中に、メイン側でテレビ部１２Ｄのソースモードが選択された場合には、テレビ部１２Ｄ自体のソースモードを選択禁止するのではなく、この場合にはテレビ部１２Ｄのテレビ受信を行うモード選択を禁止し、テレビ部１２ＤのＶＴＲを行うモード選択を実行するようにしても良い。
【００９９】
制御部４８は、ステップＳ７１にてメイン側セレクタ３３で任意のソースモードが選択されたのでなければ、サブ側セレクタ３６にて任意のソースモードが選択されたか否かを判定する（ステップＳ７５）。
【０１００】
制御部４８は、ステップＳ７５にてサブ側セレクタ３６にて任意のソースモードが選択されたのであれば、メイン側ソースに設定済みのソースモードがあるか否かを判定する（ステップＳ７６）。
【０１０１】
制御部４８の禁止判定部４５は、メイン側ソースに設定済みのソースモードがあると判定されると、これらメイン側ソースモード及びサブ側ソースモードの組み合わせが禁止メモリ３８Ｅ内にあるか否かを判定する（ステップＳ７７）。
【０１０２】
制御部４８は、禁止メモリ３８Ｅ内にあると判定されると、ステップＳ７５のサブ側セレクタ３３にて選択した任意のソースモードの選択を禁止し、禁止メモリ３８Ｅ内の禁止組み合わせにない任意のソースモードを選択することで（ステップＳ７８）、この処理動作を終了する。
【０１０３】
図１０に示すモード選択処理によれば、デュアルモードＯＮ中にソースモード選択キー２３Ｃによるソースモード選択操作を検出すると、このソースモード選択キー２３Ｃにて選択したソースモードと現在設定中のソースモードとの組み合わせが禁止メモリ３８Ｅ内にあるか否かを禁止判定部４５にて判定し、この禁止判定部４５にて禁止メモリ３８Ｅ内にあると判定されると、このソースモード選択２３Ｃにて選択したソースモードのモード設定を禁止し、禁止メモリ３８Ｅにない組み合わせのソースモードを選択するようにしたので、メイン側ソース及びサブ側ソースに夫々選択したソースモードが互いに影響を及ぼすような事態を確実に防止することができる。
【０１０４】
本実施の形態によれば、単一の第２入力端子３３Ｂ（３６Ｂ）を共有化した外部ソース１２内の異なるソースモードをメイン側及びサブ側に同時選択しないようにしたので、外部ソース１２内の異なる音源同士の音声信号が混合出力されてしまうといった事態を確実に防止することができる。
【０１０５】
さらに、本実施の形態によれば、メイン側ソース及びサブ側ソースで同時に同一ソース種別内の異なるソースモードが選択されることがないことから、個々のソースを意識せず、ソース種別のみを意識してソースの切り分け仕様を明確するようにしたので、その操作性を向上させることができる。
【０１０６】
本実施の形態によれば、メイン側操作モードが設定されると、フロント側操作部１３の表示部２１のバックライトを緑色点灯、メイン側操作モード用ＬＥＤ２２Ａを点灯、キー操作部２３の照明を緑色点灯すると共に、サブ側操作モードが設定されると、フロント側操作部１３の表示部２１のバックライトを赤色点灯、メイン側操作モード用ＬＥＤ２２Ａを点灯、キー操作部２３の照明を赤色点灯するようにしたので、フロント側操作部１３の表示内容を目視することで簡単に現在設定中の操作モードを認識することができる。
【０１０７】
本実施の形態によれば、デュアルモードＯＮ中に操作モード設定キー１３Ｂの長押し操作を検出すると、メイン側ソース及びサブ側ソース間で現在設定中のソースモードを入れ替えるようにしたので、複雑な操作を経ることなく、簡単なワンタッチ操作でメイン側ソース及びサブ側ソースを入れ替えることができる。
【０１０８】
本実施の形態によれば、デュアルモードＯＮ中にソースモード選択キー２３Ｃによるソースモード選択操作を検出すると、このソースモード選択キー２３Ｃにて選択したソースモードと現在設定中のソースモードとの組み合わせが禁止メモリ３８Ｅ内にあるか否かを禁止判定部４５にて判定し、この禁止判定部４５にて禁止メモリ３８Ｅ内にあると判定されると、このソースモード選択２３Ｃにて選択したソースモードのモード設定を禁止し、禁止メモリ３８Ｅにない組み合わせのソースモードを選択するようにしたので、メイン側ソース及びサブ側ソースに夫々選択したソースモードが互いに影響を及ぼすような事態を確実に防止することができる。
【０１０９】
また、上記実施の形態においては、デュアルモードＯＮ中に、例えばメイン側ソースをＣＤ再生部３１Ｂ、サブ側ソースをＭＤ再生部３１Ｃといった、同一ソース種別で異なるソースをメイン側及びサブ側に同時に設定することができない仕様としたが、単一の伝送路（第２入力端子３３Ｂ，３６Ｂ）を共有化したことによる複数の音声信号の混合出力を回避することを考慮するのであれば、例えば内部ソース３１のソース（ラジオ部３１Ａ，ＣＤ再生部３１Ｂ，ＭＤ再生部３１Ｃ）のように、メイン側セレクタ３３及びサブ側セレクタ３６で個々に第１入力端子３３Ａ（３６Ａ）を備えた構成としている場合には、同一ソース種別であっても、異なるソースをメイン側及びサブ側で同時に設定することができるようにしても良い。
【０１１０】
【発明の効果】
上記のように構成された本発明のオーディオ装置によれば、複数の出力源の内、任意の出力源からの出力信号を第１出力手段に出力しながら、前記任意の出力源以外の出力源からの出力信号を第２出力手段に出力する動作モードが設定状態の場合に、所定操作を検出すると、前記第１出力手段の出力源と前記第２出力手段の出力源とを第１出力手段及び第２出力手段相互で入れ替えるべく、前記出力源選択手段を制御すると共に、この出力源選択手段にて選択した第１出力手段及び第２出力手段の出力源をモード設定するようにしたので、複数の出力源の内、任意の出力源からの出力信号を第１出力手段（例えばスピーカ）に出力しながら、前記任意の出力源以外の出力源からの出力信号を第２出力手段（例えばヘッドホン）に出力する動作モード、例えばデュアルモードＯＮ中に、複雑な操作を経ることなく、簡単な操作で第１出力手段（例えばスピーカ）の出力源及び第２出力手段（例えばヘッドホン）の出力源を入れ替えることができる。
【図面の簡単な説明】
【図１】本発明のオーディオ装置に関わる実施の形態を示す車載用オーディオシステムの全体構成を示すシステム構成図である。
【図２】本実施の形態に関わる本体装置のフロント側操作部の正面図である。
【図３】本実施の形態に関わる本体装置内部の概略構成を示すブロック図である。
【図４】本実施の形態に関わる本体装置の要部であるマイコン及びメモリ部内部の概略構成を示すブロック図である。
【図５】本実施の形態に関わる本体装置のサブ側モード設定処理に関わるマイコンの処理動作を示すフローチャートである。
【図６】本実施の形態に関わる本体装置のソースモード選択処理に関わるマイコンの処理動作を示すフローチャートである。
【図７】本実施の形態に関わる本体装置のＣＤローディング処理に関わるマイコンの処理動作を示すフローチャートである。
【図８】本実施の形態に関わる本体装置の操作モード表示処理に関わるマイコンの処理動作を示すフローチャートである。
【図９】本実施の形態に関わる本体装置のソースモード入替処理に関わるマイコンの処理動作を示すフローチャートである。
【図１０】本実施の形態に関わる本体装置のモード選択処理に関わるマイコンの処理動作を示すフローチャートである。
【図１１】従来技術のデュアルメディア機能を備えた車載用オーディオシステムの全体構成を示すシステム構成図である。
【符号の説明】
１１  本体装置（オーディオ装置）
１５  スピーカ（第１出力手段）
１６  ヘッドホン（第２出力手段）
４１  モード選択部（出力源選択手段）
４２  モード設定部（モード設定手段）
４４  デュアルモード設定部（動作モード設定手段）
４８  制御部（モード設定手段、制御手段）
【図１】
2004221796.tif 000003
【図２】
2004221796.tif 000004
【図３】
2004221796.tif 000005
【図４】
2004221796.tif 000006
【図５】
2004221796.tif 000007
【図６】
2004221796.tif 000008
【図７】
2004221796.tif 000009
【図８】
2004221796.tif 000010
【図９】
2004221796.tif 000011
【図１０】
2004221796.tif 000012
【図１１】
2004221796.tif 000013